(57)【要約】      （修正有）【課題】光線の強度を向上させ、ゴーストイメージの発生を抑制しながら発光素子の数を低減することが可能な照明装置を提供する。【解決手段】カバー３００は、射出成形によって一体成形されるプラスチックからなり、ベース１００に対して位置決めされ、発光素子２００を被覆する。カバー３００の光放出壁３１０の外面には、発光素子２００からの光線を屈折するための複数の屈折部３１１が形成される。カバー３００の側壁３２０の内側面３２１と外側面３２２との間には夾角を形成する。発光素子２００が横方向に放射する光線は、側壁３２０の内側面３２１において屈折してカバー３００内に入射し、側壁３２０の外側面３２２において光放出壁３１０の屈折部３１１に向かって全反射される。これにより、照明装置は、発光素子２００が光放出壁３１０に向けて放射する光線の強度より高い強度の光線を放射することができる。【選択図】図３
0003172400.tif 000002
【実用新案登録請求の範囲】
【請求項１】
ベースと、
前記ベースに設けられる複数の発光素子と、
射出成形によって一体成形されたプラスチックからなり、外面に前記発光素子からの光線を屈折するための複数の屈折部が形成される光放出壁、および内側面と外側面との間に夾角が形成され、前記発光素子からの光線が前記内側面によって屈折され、前記外側面によって前記光放出壁まで全反射される側壁を有し、前記ベースに対して位置決められ、前記発光素子を被覆するカバーと、
を備えることを特徴とする照明装置。
【請求項２】
前記屈折部は、凸状の円弧形状を成していることを特徴とする請求項１に記載の照明装置。
【請求項３】
前記屈折部の面取りされる幅は、０．１５ｍｍ〜０．３ｍｍであることを特徴とする請求項２に記載の照明装置。
【請求項４】
前記屈折部の間の間隔は、０．３ｍｍ〜０．６ｍｍであることを特徴とする請求項１に記載の照明装置。
【請求項５】
前記屈折部の両端がなす夾角は、６０度〜１００度であることを特徴とする請求項１に記載の照明装置。
【請求項６】
前記発光素子と前記光放出壁との間の間隔は、３．５ｍｍ〜６．５ｍｍであることを特徴とする請求項１に記載の照明装置。
【請求項７】
前記発光素子は矩形を呈し、前記発光素子が一定の角度で回転して隣接することにより、前記発光素子を直線状に密集して配置されることを特徴とする請求項１に記載の照明装置。
【請求項８】
前記カバーの前記側壁の前記外側面は円弧形状であることを特徴とする請求項１に記載の照明装置。
【請求項９】
前記円弧形状の直径は、３０ｍｍ〜５０ｍｍであることを特徴とする請求項８に記載の照明装置。
【考案の詳細な説明】
【技術分野】
【０００１】
本考案は、照明装置に関し、特に、光線を集光し、ゴーストイメージを取り除くことのできる照明装置に関する。
【背景技術】
【０００２】
現在、多様な用途に用いる照明装置が市販されているが、異なる要求によって照明装置が有する効果も異なる。電気スタンドについて言えば、照明の効果を達成する以外に、利用者の目の快適度、及び利用者の視力健康に影響するかどうかを配慮する必要もある。
【考案の概要】
【考案が解決しようとする課題】
【０００３】
従来の電気スタンドには、光線を集光させすぎないこと及びゴーストイメージの発生の問題がある。これらの問題を解決するために、電気スタンドのランプシェード内に増光フィルム、拡散フィルム、反射素子等を取り付けることにより、光線の強度、集光度を増強し、更に、ゴーストイメージの問題を取り除くことができる。しかしながら、同一の性能を有する素子が、すべて同一の電気スタンドのランプシェードに組み付けられるのは不可能であるため、同時に全部の問題を解決することはできなく、また複数の素子の組み合わせと取り付けは、生産工程を複雑にする。
【０００４】
本考案の目的は、光線の強度を向上させ、ゴーストイメージの発生を抑制しながら発光素子の数を低減することが可能な照明装置を提供することにある。
【課題を解決するための手段】
【０００５】
本考案によると、照明装置は、ベース、複数の発光素子、およびカバーを備える。発光素子は、ベースに設けられる。カバーは、射出成形によって一体成形されたプラスチックからなり、ベースに接続され、発光素子を被覆する。カバーは、光放出壁及び側壁を有する。光放出壁の外面には、発光素子からの光線が屈折する複数の屈折部が形成されている。側壁の内側面と外側面との間に夾角があり、これにより、発光素子からの光線は、側壁の内側面によって屈折され、側壁の外側面によって光放出壁まで全反射される。
【０００６】
本考案の照明装置によると、屈折部は、凸状の円弧形状をなしており、その面取りの幅が０．１５ｍｍ〜０．３ｍｍである。また、各屈折部の間の間隔は０．３ｍｍ〜０．６ｍｍであって、屈折部の両端がなす夾角が６０度〜１００度である。
【０００７】
本考案の照明装置によると、発光素子と光放出壁との間の間隔は３．５ｍｍ〜６．５ｍｍである。
【０００８】
本考案の照明装置によると、発光素子は、矩形を呈し、発光素子は、一定の角度で回転して回転された後の側辺によってお互いに隣接して配列され、直線状に密集に配置される。
【０００９】
本考案の照明装置によると、カバーの側壁の外側面は円弧形状であって、円弧形状の直径の範囲は３０ｍｍ〜５０ｍｍである。
【図面の簡単な説明】
【００１０】
【図１】本考案の一実施形態による照明装置の斜視図である。
【図２】本考案の一実施形態による照明装置の断面図である。
【図３】図２におけるカバーの部分拡大図である。
【図４Ａ】図２における発光素子の配列パターンを示す比較例模式図である。
【図４Ｂ】図２における発光素子の配列パターンを示す実施例模式図である。
【考案を実施するための形態】
【００１１】
本考案の一実施形態による照明装置１を図１の斜視図および図２の断面図を用いて説明する。照明装置１は、ベース１００と、発光素子２００と、カバー３００と、を備え、発光素子２００は、ベース１００に設けられ、カバー３００は、ベース１００に対して位置決めされ、発光素子２００を被覆する。
【００１２】
カバー３００は、プラスチックから形成されており、射出成形によって一体化され、光放出壁３１０及び側壁３２０を含む。発光素子２００から放射される光線は、光放出壁３１０を通して放射される。また、発光素子２００が両側方に向かって放射した光線は、側壁３２０において集光され、光放出壁３１０に向けて放射される。
【００１３】
続いて、図２におけるカバー３００の領域３の部分拡大図を図３に示す。カバー３００の光放出壁３１０の外面に複数の屈折部３１１が形成される。図３に示すように、本実施形態の屈折部３１１は凸状の円弧形状をなしており、屈折部３１１の面取りされる幅は０．１５ｍｍ〜０．３ｍｍであって、隣り合う屈折部３１１同士の間隔Ｄは０．３ｍｍ〜０．６ｍｍである。また、１つの屈折部３１１の両端がなす夾角θは６０度〜１００度に形成されている。これにより、屈折部３１１は、集光作用を有する凸レンズと見なすことができる。また、発光素子２００と光放出壁３１０との間の間隔Ｈは、３．５ｍｍ〜６．５ｍｍである。
【００１４】
カバー３００の側壁３２０の内側面３２１と外側面３２２とは夾角αを形成する。発光素子２００の光線が側壁３２０に向かって放射される場合、内側面３２１によって屈折してカバー３００内に入射する。その後、外側面３２２によって光放出壁３１０に向かって全反射される。また、カバー３００の側壁３２０の外側面３２２は円弧形状をなしており、外側面３２２の円弧形状の直径Ｒは３０ｍｍ〜５０ｍｍである。
【００１５】
なお、上述する説明から直径Ｒ及び間隔Ｈの範囲によって夾角αの範囲が決定される。したがって、ここでは夾角αの範囲を定義しない。
【００１６】
複数の発光素子２００の配列パターンを図４Ａの比較例模式図および図４Ｂの実施例模式図を用いて説明する。図４Ａに示すように、比較例では、隣り合う発光素子２００同士は間隔を開けて配列されている。発光素子２００は矩形を呈していることから隣り合う発光素子２００間の間隔を短くするため、図４Ｂに示すように発光素子２００を一定の角度だけ回転させ、発光素子２００を直線状に密集にして配置する。
【００１７】
（効果）
（Ａ）カバー３００の側壁３２０の内側面３２１と外側面３２２とは夾角を形成している。発光素子２００から放射される光線は、光放出壁３１０を通して放射される一方、発光素子２００が両側方に向かって放射した光線が側壁３２０に到達する。側壁３２０の内側面３２１では、光線は屈折してカバー３００内に入射する。その後、外側面３２２で集光されて光放出壁３１０に向けて射出される。側壁３２０の外側面３２２は円弧形状をなしており、発光素子２００からの光線を集光し、光放出壁３１０に向けて全反射される。本実施形態の照明装置１では、カバー３００に反射材料又は反射素子を加えることなく、発光素子２００の光線を光放出壁３１０に集光することができる。これにより、発光素子２００からの光線がカバー３００の光放出壁３１０を通過した光線の光強度は、発光素子２００が光放出壁３１０に向けて放射した光線の強度より大きくすることができる。したがって、カバー３００の光放出壁３１０は、増光フィルム及び反射素子の機能を有することができる。
【００１８】
（Ｂ）照明装置において発生するゴーストイメージ現像は、光線同士の距離が遠すぎることで発生するシャドー効果に起因する。本実施形態の照明装置１において、発光素子２００と光放出壁３１０との間には適当な間隔が形成されている。これにより、光放出壁３１０に入射する前に発光素子２００の光線は十分に拡散する。また、光放出壁３１０の外面の屈折部３１１は、凸状の円弧形状をなしている。これにより、屈折部３１１に入射する光線をより均一にし、光放出壁３１０から放射される光線同士の距離は近くなるため、ゴーストイメージ現像を取り除くことができる。
【００１９】
（Ｃ）（Ａ）で述べたように、カバー３００は、増光フィルムおよび反射素子の機能を有する。これにより、増光フィルムおよび反射素子用の素子の数を省略し、照明装置１の組立てが簡略化され、生産効率を向上させることができる。また、本実施形態の照明装置１では、（Ｂ）で述べたようにゴーストイメージ現象が取り除くことができるため、光線の拡散を促進するためのディフューサーを省略できる。
【００２０】
本考案を実施形態により上記のように開示したが、これは本考案を限定するものではなく、本考案の精神及び範囲から逸脱しない限り、当業者なら誰でも、多様な変更や修飾を加えることができ、従って、本考案の保護範囲は、請求の範囲によって限定される。
【符号の説明】
【００２１】
１      照明装置
１００  ベース、
２００  発光素子、
３００  カバー、
３１０  光放出壁、
３１１  屈折構造、
３２０  側壁、
３２１  内側面、
３２２  外側面、
α      夾角、
θ      夾角、
Ｄ、Ｈ  間隔、
Ｒ      直径。
【図１】
0003172400.tif 000003
【図２】
0003172400.tif 000004
【図３】
0003172400.tif 000005
【図４Ａ】
0003172400.tif 000006
【図４Ｂ】
0003172400.tif 000007